(57)【要約】【課題】一部の機能について外部電源を必要とせずに容易に運用可能とすることで消費電力の低減を図ることが可能な自動取引装置、及び自動取引装置における自己発電電力供給方法を提供すること。【解決手段】振動に基づいて発電する発電ユニットと、前記発電ユニットによって発電した電力を前記自動取引装置に付随する電子機器に供給する電力供給手段とを備える。【選択図】図４
2014142850.tif 000002
【特許請求の範囲】
【請求項１】
自動取引装置において、
振動に基づいて発電する発電ユニットと、
前記発電ユニットによって発電した電力を前記自動取引装置に付随する電子機器に供給する電力供給手段と、
を備えることを特徴とする自動取引装置。
【請求項２】
前記発電ユニットは、利用者が踏圧可能にするため前記自動取引装置の前方床面に設置されることを特徴とする請求項１に記載の自動取引装置。
【請求項３】
前記発電ユニットは、前記自動取引装置を構成する部材の振動を検知可能にするため前記自動取引装置の内部に設置されることを特徴とする請求項１に記載の自動取引装置。
【請求項４】
前記発電ユニットは、ポリフッ化ビニリデンフィルムを含むことを特徴とする請求項１乃至３の何れか１項に記載の自動取引装置。
【請求項５】
自動取引装置における自己発電電力供給方法であって、
発電ユニットが、前記自動取引装置を構成する部材の振動に基づいて発電し、
前記発電ユニットによって発電した電力を前記自動取引装置に付随する電子機器に供給する、
ことを特徴とする自己発電電力供給方法。
【請求項６】
自動取引装置における自己発電電力供給方法であって、
前記自動取引装置の前方床面に設置された発電ユニットが、利用者の踏圧による振動に基づいて発電し、
前記発電ユニットによって発電した電力を前記自動取引装置に付随する電子機器に供給する、
ことを特徴とする自己発電電力供給方法。
【発明の詳細な説明】
【技術分野】
【０００１】
本発明は、自動取引装置に関するもので、特に、圧電素子を用いた発電ユニットを備えた自動取引装置、及び自動取引装置における自己発電電力供給方法に関する。
【背景技術】
【０００２】
従来、自動取引装置として、乗車券、入場券、観劇券等のチケットを販売する自動券売機を含む自動販売機、金融機関の店舗等に設置されている現金自動預金支払機（以下、ＡＴＭ（Automated Teller Machine）という）等がある。
【０００３】
図１は、自動取引装置１０の概要を説明するための図である。
図１において、自動取引装置１０は、銀行等の金融機関の店舗又はコンビニエンスストア等の店舗等に設置されたＡＴＭ等である。自動取引装置１０は、表示入力部３０ａ、カード挿入部４０ａ、通帳挿入部５０ａ、紙幣入出金部６０ａ、及び硬貨入出金部７０ａを備えている。
【０００４】
表示入力部３０ａは、タッチパネル等の操作部及び液晶ディスプレイ等の表示部で構成されたものであり、液晶ディスプレイ等の表示部上にタッチパネルを配置し、取引内容メニューや取引結果の案内等を表示したり、利用者からの処理要求などを受け付けたりする。
【０００５】
カード挿入部４０ａは、キャッシュカードを受け付け、キャッシュカード内に記憶されているデータを読み込むなど一定の処理を行った後にキャッシュカードを返却する。また、カード挿入部４０ａは、振込カードの発行の際には、作成された振込カードを排出し、振込カードの利用の際には、振込カードを受け付け、振込カード内に記憶されているデータを読み込むなど一定の処理を行った後に振込カードを返却する。
【０００６】
通帳挿入部５０ａは、通帳を受け付け、例えば通帳の裏面等に添付されている磁気ストライプ部などに記憶されているデータの読み込み、通帳記入など一定の処理を行った後に通帳を返却する。
【０００７】
そして、紙幣入出金部６０ａは、紙幣の受け付け及び紙幣の払い出しを行う。また、硬貨入出金部７０ａは、硬貨の受け付け及び払い出しを行う。
【０００８】
図２は、自動取引装置１０のシステム構成例を示す図である。
図２において、自動取引装置１０は、制御ユニット２０、表示ユニット３０、カード処理ユニット４０、通帳処理ユニット５０、紙幣処理ユニット６０、及び硬貨処理ユニット７０を備える。
【０００９】
制御ユニット２０は、バス２０ｇによって互いに接続された、主制御部であるＣＰＵ（Central Processing Unit）２０ａ、ＲＯＭ（Read Only Memory）やＲＡＭ（Random Access Memory）等のメモリ２０ｂ、ハードディスク（ＨＤＤ：Hard Disk Drive）２０ｃ、画面表示制御部２０ｄ、ホスト通信制御部２０ｅ、及びＩＯ制御部２０ｆを備えている。そして、制御ユニット２０は、画面表示制御部２０ｄを介して表示ユニット３０を制御し、ＩＯ制御部２０ｆを介して、カード処理ユニット４０、通帳処理ユニット５０、紙幣処理ユニット６０、及び硬貨処理ユニット７０を制御することにより、自動取引装置１０の全体を制御する。
【００１０】
メモリ２０ｂは、制御プログラムを実行するためのメモリである。ハードディスク２０ｃには、ＯＳ（Operating System）や自動取引装置１０を識別するための端末ＩＤ、自動取引装置１０の各機能を制御し実行するための制御プログラムなどが記憶されている。
【００１１】
ホスト通信制御部２０ｅは、不図示のホストコンピュータとの通信を制御している。
表示ユニット３０は、表示入力部（タッチパネル）３０ａ及びタッチパネルコントローラ３０ｂを備え、利用者が自動取引装置１０を操作する際のインタフェースである。すなわち、表示ユニット３０には、取引メニューや取引に関する案内が表示される。
【００１２】
カード処理ユニット４０は、キャッシュカード、振込カード、及びレシートに関する処理を実行する。具体的には、カード読取り書込み機構を備え、利用者がカード挿入口に挿入したキャッシュカードの磁気ストライプやＩＣ（Integrated Circuit）チップ等から口座番号等の利用者情報を読取る。口座番号等を読取ったキャッシュカードは、カード排出口から排出して利用者に返却される。また、このカード処理ユニット４０は、明細票印刷機構及び明細票搬送機構を備え、利用者が行った取引の内容を印刷した明細票を明細票排出口から排出して利用者に発行する機能も有している。
【００１３】
通帳処理ユニット５０は、通帳挿入部５０ａから挿入された通帳の磁気ストライプ部に記憶されているデータを読み取る。また、通帳に対して通帳記入を行う。
【００１４】
紙幣処理ユニット６０は、口座入金や振り込みのときに紙幣入出金部６０ａから投入された紙幣を計数し、紙幣の種類を判別する。また、紙幣の払い出しを行うときに、払い出すための紙幣を計数する。硬貨処理ユニット７０は、口座入金や振り込みのときに硬貨入出金部７０ａから投入された硬貨を計数し、硬貨の種類を判別する。また、硬貨の払い出しを行うときに、払い出すための硬貨を計数する。
【００１５】
そして、この自動取引装置１０は、ネットワークを介してホストコンピュータに通信可能に接続され、そのホストコンピュータから取引を許可する旨の電文を受信して、現金引出し、現金入金及び振込み等の各種取引を行う。
【００１６】
これらは全て外部電源、例えばＡＣ電源から電力が供給されている。
このような自動取引装置１０に対する市場の要求としては、使いやすいこと、故障しないこと、静音性が高いこと、処理性能が早いことなどが挙げられるが、近年はエコに対する関心の高まりによって、環境負荷を低減させたエコロジーさも期待されている。
【００１７】
また、ＡＴＭベンダ各社は、消費電力の低減を目指して新機種の開発に取り組んでおり、旧世代の機種と比較すると、稼働中で数十％の低消費電力化が実現されている。さらに、利用者が一定時間操作に訪れない場合に、電力消費の大部分を占めるメカユニットや表示装置の電源を一時的にカットし、さらなる低消費電力を実現したエコモードの実装がトレンドとなっている。
【００１８】
以上のことから、今後も低消費電力化にむけた取り組みは継続されると思われるが、消費電力の低いＩＣを使用したり、部品点数を減らしたり、メカユニットの機構を改善したりなど、現時点で実行されている対策方法はいずれ限界に到達する事が予想され、従来とは異なる観点での省電力対策が必要と考えられる。
【００１９】
例えば、給電モジュールが搬送路を走行することにより発電させる自動取引装置（例えば、特許文献１参照。）や、硬貨の落下エネルギーにより回転させた発電用タービンで発電して各部に電力を供給したり、発電した電力を蓄電用バッテリに蓄電したりする自動取引装置が開示されている（例えば、特許文献２参照。）。
【先行技術文献】
【特許文献】
【００２０】
【特許文献１】特開２０１２−１１８７９１号公報
【特許文献２】特開２０１１−２３８００２号公報
【発明の概要】
【発明が解決しようとする課題】
【００２１】
しかしながら、上述のような自動取引装置は、発電のためにメカユニットの改善が必要であり、容易に導入することができない、という問題点があった。
本発明は、上述のような実状に鑑みたものであり、安価で設置場所を選ばない発電ユニットを備えることにより、一部の機能について外部電源を必要とせずに容易に運用可能とすることで消費電力の低減を図ることが可能な自動取引装置、及び自動取引装置における自己発電電力供給方法を提供することを目的とする。
【課題を解決するための手段】
【００２２】
本発明は、上記課題を解決するため、下記のような構成を採用した。
すなわち、本発明の一態様によれば、本発明の自動取引装置は、振動に基づいて発電する発電ユニットと、前記発電ユニットによって発電した電力を前記自動取引装置に付随する電子機器に供給する電力供給手段とを備えることを特徴とする。
【００２３】
また、本発明の自動取引装置は、利用者が踏圧可能にするために、前記自動取引装置の前方床面に前記発電ユニットが設置されることが望ましい。
【００２４】
また、本発明の自動取引装置は、前記自動取引装置を構成する部材の振動を検知可能にするため、前記自動取引装置の内部に前記発電ユニットが設置されることが望ましい。
【００２５】
また、本発明の自動取引装置は、前記発電ユニットがポリフッ化ビニリデンフィルムを含むことが望ましい。
【００２６】
また、本発明の一態様によれば、本発明の自動取引装置における自己発電電力供給方法は、発電ユニットが、前記自動取引装置を構成する部材の振動に基づいて発電し、前記発電ユニットによって発電した電力を前記自動取引装置に付随する電子機器に供給することを特徴とする。
【００２７】
また、本発明の一態様によれば、本発明の自動取引装置における自己発電電力供給方法は、前記自動取引装置の前方床面に設置された発電ユニットが、利用者の踏圧による振動に基づいて発電し、前記発電ユニットによって発電した電力を前記自動取引装置に付随する電子機器に供給することを特徴とする。
【発明の効果】
【００２８】
本発明によれば、安価で設置場所を選ばない発電ユニットを備えることにより、一部の機能について外部電源を必要とせずに容易に運用可能とすることで消費電力の低減を図ることができる、という効果を奏する。
【図面の簡単な説明】
【００２９】
【図１】自動取引装置１０の概要を説明するための図である。
【図２】自動取引装置１０のシステム構成例を示す図である。
【図３】圧電素子の動作原理を示す図である。
【図４】ＡＴＭ１００の前に足踏み用の発電ユニット１０４を設置した例を示す図である。
【図５】足踏み用の発電ユニット１０４を前に設置したＡＴＭ１００の機能ブロックを示す図である。
【図６】足踏み用の発電ユニット１０４を前に設置したＡＴＭ１００発電制御処理の流れを示すフローチャートである。
【図７】サブルーチン「外部機器オン制御処理」の流れを示すフローチャートである。
【図８】サブルーチン「内部機器オン制御処理」の流れを示すフローチャートである。
【図９】サブルーチン「外部機器オフ制御処理」の流れを示すフローチャートである。
【図１０】サブルーチン「内部機器オフ制御処理」の流れを示すフローチャートである。
【図１１】ＡＴＭ１００ａの内部に発電ユニットを設置した例を示す図である。
【図１２】発電ユニット１０４ａの構造を示す図である。
【図１３】発電ユニット１０４ａを内部に設置したＡＴＭ１００ａの機能ブロックを示す図である。
【図１４】ＡＴＭ１００ａの発電制御処理の流れを示すフローチャートである。
【発明を実施するための形態】
【００３０】
以下、本発明の実施の形態について、図面を参照しながら詳細に説明する。
本実施の形態における自動取引装置は、乗車券、入場券、観劇券等のチケットを販売する自動券売機を含む自動販売機、金融機関の店舗等に設置されているＡＴＭ等がある。以下、自動取引装置の１例として、ＡＴＭを用いて本実施の形態を説明する。
【００３１】
本実施の形態におけるＡＴＭは、安価で設置場所を選ばない発電ユニットを備える。発電ユニットとして、例えば、圧電素子を用いる。
【００３２】
図３は、圧電素子の動作原理を示す図である。
圧電素子とは、水晶や特定のセラミックスなどの強誘電体に加えられた機械的エネルギーを電気エネルギーに変換したり（図３（Ａ））、電気エネルギーを機械的エネルギーに変換したり（図３（Ｂ））する、圧電効果を利用した素子である。例えば、ボタン押下による衝撃で放電に必要な電圧を得るライターの点火装置や、電圧を加えることで圧電体が振動し、空気振動により音を発生させるスピーカや超音波エコー検査装置などが、身の回りの一般的な使用例として存在する。
【００３３】
ＡＴＭにこのような発電ユニットを実装する場合には、消費電力の低減が目的であることから、ＡＴＭの運用に付随して発生する機械的エネルギーを、圧電素子を用いることで電気エネルギーへ変換して使用する。
【００３４】
変換元の機械エネルギーには、取引実行に伴うメカユニットの振動や歯車の回転、又は利用者による歩行が考えられる。
【００３５】
変換に用いる圧電素子は、上記機械エネルギーを効率よく変換する事ができ、安価で、エネルギーの発生条件に応じて容易にカスタマイズできる必要がある事から、ＰＶＤＦ（PolyVinylidene DiFluoride：ポリフッ化ビニリデン）フィルムを用いる。
【００３６】
ＰＶＤＦフィルムは、圧電効果を有するプラスチックＰＶＤＦから作られた、加工性が良く、大面積で薄膜化が容易な圧電素子である。圧電セラミックと比較して、すぐれた柔軟性、耐衝撃性、耐高電圧性、耐水性、化学的安定性を備える。例えば、１３ｍｍ×２５ｍｍのシート状タイプで２００円程度であり、わずかに歪みを加えることで数十ｍＶの電圧を発生する事が可能である。
【００３７】
図４は、ＡＴＭ１００の前に足踏み用の発電ユニット１０４を設置した例を示す図である。
図４において、ＡＴＭ１００は、図１を用いて説明した自動取引装置１０、及び発電ユニット１０４を備える。すなわち、ＡＴＭ１００は、銀行等の金融機関の店舗又はコンビニエンスストア等の店舗等に設置され、ＡＴＭ１００は、表示入力部（タッチパネル）３０ａ、カード挿入部４０ａ、通帳挿入部５０ａ、紙幣入出金部６０ａ、硬貨入出金部７０ａ、及び発電ユニット１０４を備えている。
【００３８】
表示入力部３０ａ、カード挿入部４０ａ、通帳挿入部５０ａ、紙幣入出金部６０ａ、及び硬貨入出金部７０ａについては、図１を用いた説明と同様であるので説明を省略する。
【００３９】
発電ユニット１０４は、利用者の重みによってＰＶＤＦフィルムに歪みが生じ、電圧が出力されるものである。発電ユニット１０４のサイズや設置位置を変化させることで、様々な用途への適用ができる。
【００４０】
例えば、ＡＴＭ１００の近傍、特に、ＡＴＭ１００を利用する際に利用者が立つ位置に設置することができる。そして、この発電ユニット１０４をスイッチングトリガに使用すると、利用者の接近を検知した場合のみ、各種周辺装置の電源をオンすることができる。これにより、ＡＴＭ１００の設置環境全体での省エネ効果を高めることができる。
【００４１】
具体的には、ＡＴＭ１００が設置されているブース照明、表示入力部３０ａやセカンドディスプレイ（利用者向け案内表示版）のＬＣＤ電源、フリッカ等に用いることができる。従来用いられている一般的な人感センサでは、センサを稼動させるための電源が必要となるが、発電ユニット１０４ではその電源が不要である。
【００４２】
上述のような使用例の場合、ＰＶＤＦフィルムが利用者に踏まれる事によって多少の歪みが発生し、外部端子へ電圧出力できればよい。例えば、５０ｃｍ×５０ｃｍのゴム製シート２枚で４０ｃｍ×４０ｃｍのＰＶＤＦフィルムをサンドする構造にすれば、耐久性を持たせると共に圧電効果に必要な歪みを抑制することがない。
【００４３】
また、機構や素子材料によって発電量は異なるが、おおむね瞬間最大で数Ｖ程度の出力は可能である。例えば、ＰＶＤＦフィルムに対して２ｍｍ程度の歪みで６Ｖの電圧を出力することができる。従って図５を用いて後述する外部入力ポート５０７のオン条件を、例えば１Ｖ以上等と低めに設定することで、スイッチング機能を満足させることができる。
【００４４】
図５は、足踏み用の発電ユニット１０４を前に設置したＡＴＭ１００の機能ブロックを示す図である。
図５中に示される制御ユニット２０は、ＣＰＵ２０ａ、メモリ２０ｂ、ハードディスク２０ｃ、画面表示制御部２０ｄ、ホスト通信制御部２０ｅ、ＩＯ制御部２０ｆ、表示ユニット３０、カード処理ユニット４０、通帳処理ユニット５０、紙幣処理ユニット６０、及び硬貨処理ユニット７０は、図２を用いた説明と同様であるので説明を省略する。
【００４５】
ＩＯ制御部２０ｆは、各種入出力機器の制御を行うためのＩＯ制御ファームウェア５０１を備える。
【００４６】
ＩＯ制御ファームウェア５０１は、画面表示制御部２０ｄを用いて、利用者が操作する表示ユニット（ＬＣＤ）３０を制御する。また、ＩＯ制御ファームウェア５０１は、対人センサ制御部５０２を用いて、利用者の検知に用いる対人センサ５０３を制御する。また、ＩＯ制御ファームウェア５０１は、フリッカ制御部５０４を用いて、カード挿入部４０ａや通帳挿入部５０ａを照らし利用者操作を誘導するためのフリッカランプ５０５を制御する。また、ＩＯ制御ファームウェア５０１は、ＦＡＮ回転制御部５０６を用いて冷却用のＦＡＮを制御したり、カード処理ユニット４０、通帳処理ユニット５０、紙幣処理ユニット６０、及び硬貨処理ユニット７０を制御したりする。
【００４７】
更に、ＩＯ制御ファームウェア５０１は、ＡＴＭ１００内部のＩＯ制御だけでなく、外部接続機器である発電ユニット１０４、ブース照明５０９及び外部ディスプレイ５１０等のための外部入力ポート５０７及び外部出力ポート５０８の制御も行っている。例えば、ＩＯ制御ファームウェア５０１は、外部入力ポート５０７を制御する。これにより、外部入力ポート５０７に接続された発電ユニット１０４は、スイッチングデバイスとして動作する。そして、操作者が発電ユニット１０４の上に立つことによって圧電効果により電圧が発生し、例えば発生した電圧が１Ｖ以上であれば、外部入力ポート５０７を制御するＩＯ制御ファームウェア５０１にてポートオンが検出される。
【００４８】
また、外部出力ポート５０８には、外部接続機器であるブース照明５０９及び外部ディスプレイ５１０等の電源が接続される。外部入力ポート５０７及び外部出力ポート５０８は、それぞれリレー回路となっており、ＩＯ制御ファームウェア５０１によってリレーのオンオフが制御されることにより、ブース照明５０９等の電源のオンオフが制御される。
【００４９】
図６は、足踏み用の発電ユニット１０４を前に設置したＡＴＭ１００の発電制御処理の流れを示すフローチャートである。
本発電制御処理は、ＩＯ制御ファームウェア５０１によってＡＴＭ１００の電源投入時から常時実行する処理である。
【００５０】
まず、ステップＳ６０１において、外部入力ポート５０７を監視し、外部入力ポート５０７がオン状態であるか否かを判断する。オン状態でないと判断された場合（ステップＳ６０１：ＮＯ）は、外部入力ポート５０７がオン状態と判断されるまで繰り返し監視する。
【００５１】
そして、外部入力ポート５０７がオン状態であると判断された場合、すなわち、発電ユニット１０４により発電されていた場合（ステップＳ６０１：ＹＥＳ）は、ステップＳ６０２において、所定時間の間、外部入力ポート５０７のオン状態とオフ状態の切り替わりの回数が、所定回数を超えたか否かを判断する。これは、例えば、ＡＴＭ１００を利用しない人が発電ユニット１０４の上を単に通り過ぎた場合や、何かしらのノイズによる一時的な信号入力などのチャタリング除去を目的としている。ＡＴＭ１００の利用者が発電ユニット１０４の上に立ち続ければ、姿勢の揺らぎによって継続的に外部入力ポート５０７のオンオフが繰り返されるため、これを利用者検知のトリガとする。
【００５２】
なお、外部入力ポート５０７の監視条件、すなわち、前記所定時間及び前記所定回数については、発電ユニット１０４の検知感度と操作性のトレードオフである。どちらを優先させるかは、設定可変とする。例えば、「１秒間の間にオンオフの切り替え回数が５回を超えた場合」等、監視条件を厳しくすれば、外乱要因による誤検知が減る。これにより、ブース照明５０９等のオン回数が減り省エネ効果を高くできる。ただし、利用者接近による検知確定までの時間が延びるため、表示ユニット３０の電源投入までの時間も長くなり、ＡＴＭ１００の操作を開始することが可能となるまでの時間が長くなる。逆に、「１秒間の間にオンオフの切り替え回数が２回を超えた場合」」等、監視条件を緩くすれば、外乱要因による誤検知が増える。これにより、ブース照明５０９等のオン回数が増え省エネ効果も減る。ただし、利用者接近を即座に検知できるため、ＡＴＭ１００の操作を開始することが可能となるまでの時間を短くすることができる。
【００５３】
そして、外部入力ポート５０７のオン状態とオフ状態の切り替わりの回数が所定回数を超えたと判断された場合、すなわち、利用者を検知した場合（ステップＳ６０２：ＹＥＳ）は、ステップＳ６０３において、図７を用いて後述するサブルーチン「外部機器オン制御処理」を実行し、ステップＳ６０４において、図８を用いて後述するサブルーチン「内部機器オン制御処理」を実行する。なお、サブルーチン「外部機器オン制御処理」とサブルーチン「内部機器オン制御処理」は、どちらを先に実行してもよい。
【００５４】
図７は、サブルーチン「外部機器オン制御処理」の流れを示すフローチャートであり、図８は、サブルーチン「内部機器オン制御処理」の流れを示すフローチャートである。
【００５５】
図６のステップＳ６０２で、外部入力ポート５０７のオン状態とオフ状態の切り替わりの回数が所定回数を超えたと判断された場合（ステップＳ６０２：ＹＥＳ）、まず、図７のステップＳ７０１において、ＩＯ制御ファームウェア５０１による制御に基づいて、外部出力ポート５０８のリレーをオンとする。そして、ステップＳ７０２において、外部機器であるブース照明５０９の電源ラインが導通しブース照明５０９の電源がオンとなり、ステップＳ７０３において、外部機器である外部ディスプレイ５１０の電源ラインが導通し、外部ディスプレイ５１０の電源がオンとなる。なお、ステップＳ７０２とステップＳ７０３は、どちらを先に実行してもよい。
【００５６】
次に、図８のステップＳ８０１において、ＩＯ制御ファームウェア５０１による制御に基づいて、内部機器であるフリッカランプ５０５の電源ラインが導通し、フリッカランプ５０５の電源がオンとなる。そして、ステップＳ８０２において、表示ユニット３０の電源ラインが導通し表示ユニット３０の電源がオンとなる。なお、ステップＳ８０１とステップＳ８０２は、どちらを先に実行してもよい。
【００５７】
図６の説明に戻る。
上述の「外部機器オン制御処理」（図７）及び「内部機器オン制御処理」（図８）により、外部機器及び内部機器の電源がオンとなっている際、ステップＳ６０５において、外部入力ポート５０７を監視し、外部入力ポート５０７が所定時間の間オフ状態であるか否かを判断する。すなわち、ＡＴＭ１００の利用が終了し、利用者が立ち去ることにより、発電ユニット１０４からの入力は無くなりオフ状態が継続する。発電ユニットがオン状態の場合（ステップＳ６０５：ＮＯ）は、継続して監視を行う。
【００５８】
そして、外部入力ポート５０７がオフ状態であると判断された場合、すなわち、発電ユニット１０４からの入力がなくなった場合（ステップＳ６０５：ＹＥＳ）は、ステップＳ６０６において、図９を用いて後述するサブルーチン「外部機器オフ制御処理」を実行する。そして、ステップＳ６０７において、図１０を用いて後述するサブルーチン「内部機器オフ制御処理」を実行する。なお、サブルーチン「外部機器オフ制御処理」とサブルーチン「内部機器オフ制御処理」は、どちらを先に実行してもよい。
【００５９】
図９は、サブルーチン「外部機器オフ制御処理」の流れを示すフローチャートであり、図１０は、サブルーチン「内部機器オフ制御処理」の流れを示すフローチャートである。
【００６０】
図６のステップＳ６０５で、外部入力ポート５０７が所定時間の間オフ状態であると判断された場合、まず、図９のステップＳ９０１において、ＩＯ制御ファームウェア５０１による制御に基づいて、外部出力ポート５０８のリレーをオフとする。そして、ステップＳ９０２において、外部機器であるブース照明５０９の電源ラインが断線しブース照明５０９の電源がオフとなる。さらに、ステップＳ９０３において、外部機器である外部ディスプレイ５１０の電源ラインが断線し外部ディスプレイ５１０の電源がオフとなる。なお、ステップＳ９０２とステップＳ９０３は、どちらを先に実行してもよい。
【００６１】
次に、図１０のステップＳ１００１において、ＩＯ制御ファームウェア５０１による制御に基づいて、内部機器であるフリッカランプ５０５の電源ラインが断線しフリッカランプ５０５の電源がオフとなる。そして、ステップＳ１００２において、表示ユニット３０の電源ラインが断線し表示ユニット３０の電源がオフとなる。なお、ステップＳ１００１とステップＳ１００２は、どちらを先に実行してもよい。
【００６２】
このような発電制御処理を実行することで、ＡＴＭ１００は大幅に消費電力を節約することができる。例えば、ＡＴＭ１００の運用時間を２４時間とし、１日あたりの取引回数が３００回で、１回の取引時間が２分であった場合、５Ｗのフリッカランプ５０５、１０Ｗの表示ユニット（ＬＣＤ）３０、白熱電球３６Ｗを３個用いたブース照明５０９、３０Ｗの外部ディスプレイ５１０であれば、電気料金の単価を２２円／ｋＷｈで計算すると、年間１万円以上の電気料金低下が見込まれる。
【００６３】
なお、従来の自動取引装置１０は、赤外線等を利用した人感センサで利用者の検知を行い、利用者誘導音声や省エネモードのオンオフなどを実施している。このような人感センサは、当然ながら外部電源を必要とするため、電力を消費する。このような人感センサの代替として、本発電制御処理を適用することにより、無電源で利用者の検知を行うことが可能となる。また、一般的な赤外線方式の人感センサは、外光要因で誤検知してしまうデメリットがある。例えば、太陽光や車のライト、警備センサによる赤外線などの外乱光が、人感センサへ直接又は間接的に照射した場合、人がいないにも関わらず検知したと判断する場合がある。これに対して、上述のように圧電素子を用いれば、人が発電ユニット１０４に乗らない限り検知する事はなく、人感検知の精度を向上させる事も可能である。
以上、ＡＴＭ１００の前に足踏み用の発電ユニット１０４を設置した例を説明した。
【００６４】
次に、発電ユニット１０４ａを内部に設置したＡＴＭ１００ａの例を説明する。
図１１は、ＡＴＭ１００ａの内部に発電ユニット１０４ａを設置した例を示す図である。
【００６５】
図１１において、メカユニットの１つである紙幣処理ユニット６０は、ＡＴＭ１００ａの内部に存在している。そして、発電ユニット１０４ａを紙幣処理ユニット６０の近傍に設置する。発電ユニット１０４ａは、入出金取引などの処理に応じてＡＴＭ１００ａ内部の紙幣処理ユニット６０等のメカユニットが発生する振動エネルギーによってＰＶＤＦフィルムに歪みを発生させて、電圧が出力されるものである。上述した足踏み用の発電ユニット１０４と同様、サイズや貼付け位置を変化させることで、振動元の機構に制限されることなく適用することが可能である。
【００６６】
図１１に示したように、発電ユニット１０４ａを紙幣処理ユニット６０の近傍に設置したことにより、紙幣の入出金動作に伴う振動を利用することができる。もちろん、発電ユニット１０４ａの形状を、紙幣処理ユニット６０のメカ動作を妨げる事がないようにすることが必要であるが、加工が容易なＰＶＤＦフィルムは、どのようなメカ機構にでも柔軟に対応が可能である。すなわち、ＡＴＭ１００ａの稼働に伴うメカユニットの振動によってＰＶＤＦフィルムが変位し電圧出力できればよい。
【００６７】
紙幣処理ユニット６０を設置する場所は、出来る限り発電ユニット１０４ａの振動が発生し易い位置が良い。図１１では、紙幣処理ユニット６０の紙幣カセット６１が存在する箇所の側面部分に、発電ユニット１０４ａを設置した場合を示している。これにより、入出金時に紙幣カセット６１から紙幣が出し入れされる際の振動や、紙幣枚数の計数、紙幣補充時における紙幣カセット６１間の紙幣移動などで発電が可能となる。
【００６８】
なお、発電ユニット１０４ａを設置するメカユニットは、紙幣処理ユニット６０に限らず、カード処理ユニット４０、通帳処理ユニット５０、紙幣処理ユニット６０、又は硬貨処理ユニット７０であってもよい。
【００６９】
図１２は、発電ユニット１０４ａの構造を示す図である。
紙幣処理ユニット６０等のメカユニットの近傍に設置する発電ユニット１０４ａは、上述したような足踏み用のような単純な機構でもよいが、振動によるＰＶＤＦフィルムへの歪みを効率的に伝えることが可能なように、例えば、５０ｃｍ×１００ｃｍ×５ｍｍ程度のプラスチック筐体１０６の内部に、４０ｃｍ×８０ｃｍ程度のＰＶＤＦフィルム部材１０５を複数のバネ部材１０７によって支える構造にすることができる。このような構造にすることで、プラスチック筐体１０６に対するメカユニットの振動がＰＶＤＦフィルム部材１０５の変位を増幅し、電圧出力も増加する。
【００７０】
図１３は、発電ユニット１０４ａを内部に設置したＡＴＭ１００ａの機能ブロックを示す図である。
図１３中に示されるＣＰＵ２０ａ、メモリ２０ｂ、ハードディスク２０ｃ、画面表示制御部２０ｄ、ホスト通信制御部２０ｅ、ＩＯ制御部２０ｆ、表示ユニット３０、カード処理ユニット４０、通帳処理ユニット５０、紙幣処理ユニット６０、硬貨処理ユニット７０、ＩＯ制御ファームウェア５０１、対人センサ制御部５０２、対人センサ５０３、フリッカ制御部５０４、フリッカランプ５０５、及びＦＡＮ回転制御部５０６は、図２又は図５を用いた説明と同様であるので説明を省略する。
【００７１】
図１３において、ＩＯ制御ファームウェア５０１は、電源監視の役割も持っており、鉛蓄電池１３０２のバッテリ容量や、電源制御部１３０１に対する電源制御指示を行っている。電源制御部１３０１は、外部ＡＣ電源からの電源供給を受けて、ＡＴＭ１００ａの内部機器に対する給電機能を有する。
【００７２】
また、電源制御部１３０１は、鉛蓄電池１３０２からの電源供給を受けて、ＡＴＭ１００ａの内部機器に対する給電機能を有する。さらに、電源制御部１３０１は、ＩＯ制御ファームウェア５０１からの指示により、ＡＴＭ１００ａの内部機器への給電に際する電源元を鉛蓄電池１３０２と外部ＡＣ電源から切り替える機能を有する。
【００７３】
鉛蓄電池１３０２は、発電ユニット１０４ａからの被充電機能と、電源制御部１３０１に対する給電機能を有する。そして、発電ユニット１０４ａは、紙幣処理ユニット６０等のメカユニットに取り付けられその振動によって発生した出力電圧によって、鉛蓄電池１３０２を常時充電する機能を有する。
【００７４】
以上、本発明の実施の形態を、図面を参照しながら説明してきたが、上述の実施の形態に限らず、例えば、発電ユニット１０４ａを内部に設置したＡＴＭ１００ａが外部入力ポート５０７及び外部出力ポート５０８を備え、ＩＯ制御ファームウェア５０１が図６を用いて説明したような発電制御処理を実行しても良い。また、足踏み用の発電ユニット１０４を備えたＡＴＭ１００が電源制御部１３０１及び鉛蓄電池１３０２を備え、図１４を用いて後述するような発電制御処理を実行しても良い。
【００７５】
図１４は、ＡＴＭ１００ａの発電制御処理の流れを示すフローチャートである。
まず、ステップＳ１４０１において、ＩＯ制御ファームウェア５０１は、鉛蓄電池１３０２のバッテリ容量が所定の閾値以上であるか否かを判断する。例えば、鉛蓄電池１３０２のバッテリ容量が２４Ａｈであれば、「２０Ａｈ」を閾値とする。なお、閾値の値を低くすれば、鉛蓄電池１３０２による給電が長時間行われるため、省エネ効果は高くなる。
【００７６】
そして、鉛蓄電池１３０２のバッテリ容量が所定の閾値以上であると判断された場合（ステップＳ１４０１：ＹＥＳ）、ステップＳ１４０２において、図６のステップＳ６０１及びステップＳ６０２のように利用者検知を行う。そして、ステップＳ１４０３において、電源制御部１３０１への指示を行い、鉛蓄電池１３０２からＡＴＭ１００ａの内部機器へ給電する。
【００７７】
他方、ステップＳ１４０１で、鉛蓄電池１３０２のバッテリ容量が所定の閾値以上でないと判断された場合（ステップＳ１４０１：ＮＯ）、ステップＳ１４０４において、利用者検知を行った後、ステップＳ１４０５において、電源制御部１３０１への指示を行い、ＡＣ電源からＡＴＭ１００ａの内部機器へ給電する。
【００７８】
なお、上述のステップＳ１４０３又はステップＳ１４０５の前に、利用者検知を行うのは、ＡＴＭ１００ａの利用者がいる場合に給電元を切り替えると、利用者誘導用のフリッカランプ５０５や表示ユニット３０のＬＣＤが切れてしまい、利用者へのサービスとしてふさわしくないからである。従って、ＡＴＭ１００ａの前に利用者がいないタイミングを見計らって、電源制御の切換えを行っている。この際の利用者検知については、図６のステップＳ６０１及びステップＳ６０２のような利用者検知だけでなく、従来のような赤外線式人感センサを用いてもよい。
【００７９】
このような発電制御処理を実行することで、電気料金は発電ユニット１０４ａからの給電となり電気料金が発生しなくなる。また、上述のフリッカランプ５０５や表示ユニット３０の以外にも、ＡＴＭ１００ａ内に多数設置される各種センサや小規模プリント版の供給電源等を発電ユニット１０４ａに頼れば、さらに電気料金は低くなる。
【００８０】
また、上述してきた本発明の実施の形態は、自動取引装置の一機能としてハードウェア又はＤＳＰ（Digital Signal Processor）ボードやＣＰＵボードでのファームウェアもしくはソフトウェアにより実現することができる。
【００８１】
また、本発明が適用される自動取引装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００８２】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、自動取引装置に供給し、その自動取引装置のコンピュータがプログラムを読み出し実行することによっても、達成されることは言うまでもない。
【００８３】
この場合、可搬記録媒体等から読み出されたプログラム自体が本発明の新規な機能を実現することになり、そのプログラムを記録した可搬記録媒体等は本発明を構成することになる。
【００８４】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００８５】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部又は全部を行ない、その処理によっても前述した実施の形態の機能が実現される。
【００８６】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部又は全部を行ない、その処理によっても前述した実施の形態の機能が実現され得る。
【００８７】
すなわち、本発明は、以上に述べた実施の形態に限定されるものではなく、本発明の要旨を逸脱しない範囲内で種々の構成又は形状を取ることができる。
【符号の説明】
【００８８】
１０        自動取引装置
２０        制御ユニット
２０ａ      ＣＰＵ
２０ｂ      メモリ
２０ｃ      ハードディスク
２０ｄ      画面表示制御部
２０ｅ      ホスト通信制御部
２０ｆ      ＩＯ制御部
２０ｇ      バス
３０        表示ユニット
３０ａ      表示入力部
３０ｂ      タッチパネルコントローラ
４０        カード処理ユニット
４０ａ      カード挿入部
５０        通帳処理ユニット
５０ａ      通帳挿入部
６０        紙幣処理ユニット
６０ａ      紙幣入出金部
６１        紙幣カセット
７０        硬貨処理ユニット
７０ａ      硬貨入出金部
１００、１００ａ    ＡＴＭ
１０４、１０４ａ    発電ユニット
１０５      ＰＶＤＦフィルム部材
１０６      プラスチック筐体
１０７      バネ部材
５０１      ＩＯ制御ファームウェア
５０２      対人センサ制御部
５０３      対人センサ
５０４      フリッカ制御部
５０５      フリッカランプ
５０６      ＦＡＮ回転制御部
５０７      外部入力ポート
５０８      外部出力ポート
５０９      ブース照明
５１０      外部ディスプレイ
１３０１    電源制御部
１３０２    鉛蓄電池
【図１】
2014142850.tif 000003
【図２】
2014142850.tif 000004
【図５】
2014142850.tif 000005
【図６】
2014142850.tif 000006
【図７】
2014142850.tif 000007
【図８】
2014142850.tif 000008
【図９】
2014142850.tif 000009
【図１０】
2014142850.tif 000010
【図１３】
2014142850.tif 000011
【図１４】
2014142850.tif 000012
【図３】
2014142850.tif 000013
【図４】
2014142850.tif 000014
【図１１】
2014142850.tif 000015
【図１２】
2014142850.tif 000016